(57)【要約】 【課題】  本発明は、可撓性及び伸縮性を具え、例えば免震装置における免震支承用として最適とする「フレキシブル特性を有する小棒状部材」という新規の製品の提供を図る。【解決手段】  可撓性及び伸縮性を具えたコイルスプリング１の内部に、可撓性及び伸縮性を具えた材料を嵌入装填して成るフレキシブル特性を有する小棒状部材。【選択図】  図３
2013249866.tif 000002
【特許請求の範囲】
【請求項１】
可撓性及び伸縮性を具えたコイルスプリング(１)の内部に、可撓性及び伸縮性を具えた材料を嵌入装填して成るフレキシブル特性を有する小棒状部材。
【請求項２】
コイルスプリング(１)の内部に嵌入装填する材料として、１本のゴム軸(２)を用いて成る請求項１に記載のフレキシブル特性を有する小棒状部材。
【請求項３】
コイルスプリング(１)の内部に嵌入装填する材料として、複数本を束ねたゴム軸単体(３)として成る請求項１に記載のフレキシブル特性を有する小棒状部材。
【請求項４】
コイルスプリング(１)の内部に嵌入装填する材料として、ゴムチップ(４)を収容する袋体(５)として成る請求項１に記載のフレキシブル特性を有する小棒状部材。
【請求項５】
コイルスプリング(１)の内部に嵌入装填する材料として、所要の液体(６)を収容する袋体(７)として成る請求項１に記載のフレキシブル特性を有する小棒状部材。
【請求項６】
袋体内にコイルスプリング(１)自体も収容してしまうように構成した請求項４または請求項５の何れかに記載のフレキシブル特性を有する小棒状部材。
【請求項７】
コイルスプリング(１)内に嵌入収装する部材の上下両端にフランジ部を設けるように構成した請求項１乃至請求項６の何れかに記載のフレキシブル特性を有する小棒状部材。
【発明の詳細な説明】
【技術分野】
【０００１】
本発明は、通常は垂直状を呈するが、横方向の力が加わった際には湾曲するような可撓性と、縦方向の力が加わった際には伸縮するような変形性を具え、例えば免震装置における免震支承用として最適とする「フレキシブル特性を有する小棒状部材」に関する。
【背景技術】
【０００２】
従来、例えば地震の震動に対する免震化を図る機構において、横揺れ等を吸収するための部材たる柱状を呈する支持用部材(小棒状部材)は、積層ゴムなどのゴム柱とすることを通例とした（例えば、特許文献１参照。）。  
【先行技術文献】
【特許文献】
【０００３】
【特許文献１】特開２００６−２９２１５５号公報
【発明の概要】
【発明が解決しようとする課題】
【０００４】
上記したようなゴム柱であると、その可撓性の及び伸縮性の調整が非常に困難であり、殆どゴム素材の特性に委ねざるを得ない。  従って、例えば強度的に太いゴム柱を用いた場合、その可撓性が強すぎて免震作用に齟齬を来してしまうというような問題が生じることとなった。
【０００５】
更に、ゴム材は外気に晒されていると表面劣化が起こりやすく、弾力性喪失の大きな原因となってしまうものである。
本発明はこの従来の問題点の解消化を企図した「フレキシブル特性を有する小棒状部材」と言う新規な製品の提供を図ったものである。
【課題を解決するための手段】
【０００６】
本発明は請求項１に記載のように、可撓性及び伸縮性を具えたコイルスプリング１の内部に、可撓性及び伸縮性を具えた材料を嵌入装填して成るフレキシブル特性を有する小棒状部材に係る。
【０００７】
本発明は請求項２記載のように、コイルスプリング１の内部に嵌入装填する材料として、１本のゴム軸２を用いて成る請求項１に記載のフレキシブル特性を有する小棒状部材を実施の態様とする。
【０００８】
本発明は請求項３に記載のように、コイルスプリング１の内部に嵌入装填する材料として、複数本を束ねたゴム軸単体３として成る請求項１に記載のフレキシブル特性を有する小棒状部材を実施の態様とする。
【０００９】
本発明は請求項４に記載のように、コイルスプリング１の内部に嵌入装填する材料として、ゴムチップ４を収容する袋体５として成る請求項１に記載のフレキシブル特性を有する小棒状部材を実施の態様とする。
【００１０】
本発明は請求項５に記載のように、コイルスプリング１の内部に嵌入装填する材料として、所要の液体６を収容する袋体７として成る請求項１に記載のフレキシブル特性を有する小棒状部材を実施の態様とする。
【００１１】
本発明は請求項６に記載のように、袋体内にコイルスプリング１自体も収容してしまうように構成した請求項４または請求項５の何れかに記載のフレキシブル特性を有する小棒状部材を実施の態様とする。
【００１２】
本発明は請求項７に記載のように、コイルスプリング１内に嵌入収装する部材の上下両端にフランジ部を設けるように構成した請求項１乃至請求項６の何れかに記載のフレキシブル特性を有する小棒状部材を実施の態様とする。
【発明の効果】
【００１３】
本発明は請求項１に記載のような構成、すなわち、可撓性及び伸縮性を具えたコイルスプリング１の内部に、可撓性及び伸縮性を具えた材料を嵌入装填するように構成したから、使用するコイルスプリング１の選定と、内部に嵌入装填した材料の選定に基づき、全体としての可撓性及び伸縮性の任意設定が可能化される。  すなわち、何れか一方だけであると、必要とする強度を具えた可撓性及び伸縮性を得るためにはその全体としての大きさが定まってしまうこととなる。  これに対して本発明は、例えば強力な弾力性を具えたコイルスプリング１の選定と、これに加えたい程度の弾力性を具えた「内部嵌入装填用材料」の選定に基づき、必要とするサイズと強度を確保した上での、必要とする可撓性及び伸縮性を得ることが可能化される。
【００１４】
本発明は請求項２に記載のような構成、すなわち、コイルスプリング１の内部に嵌入装填する材料として、１本のゴム軸２を用いるように構成したから、構成上の単純化が図られる。
【００１５】
本発明は請求項３に記載のような構成、すなわち、コイルスプリング１の内部に嵌入装填する材料として、複数本を束ねたゴム軸単体３とするように構成したから、当該ゴム軸単体３の太さ及び本数を適宜設定することに依り、可撓性及び伸縮性に対するきめの細かい調節設定が可能化される。
【００１６】
本発明は請求項４に記載のような構成、すなわち、コイルスプリング１の内部に嵌入装填する材料として、ゴムチップ４を収容する袋体５とすることに依り、製造コストの低廉化が図られると共に、当該ゴムチップ４の量に依り可撓性及び伸縮性の調節ができるため、最適とする性能の確保が極めて容易に達成される。
【００１７】
本発明は請求項５に記載のような構成、すなわち、コイルスプリング１の内部に嵌入装填する材料として、所要の液体６を収容する袋体７とすることに依り、コイルスプリング１内に対する嵌入収装作業が著しく容易化される。  また、使用する液体(例えば水)に依っては製造ストの著減化が図られる。
【００１８】
本発明は請求項６に記載のような構成、すなわち、袋体内にコイルスプリング１自体も収容してしまうように構成することに依り、コイルスプリング１に対する保護目的も同時に果たされる。
【００１９】
本発明は請求項７に記載のような構成、すなわち、コイルスプリング１内に嵌入収装する部材の上下両端にフランジ部を設けるように構成することに依り、取付け上の至便性が図られる。
【図面の簡単な説明】
【００２０】
【図１】本発明の第１の実施例を表した正面図である。
【図２】同上平面図である。
【図３】同上縦断面図である。
【図４】本発明の第２の実施例を表した平面図である。
【図５】図４におけるX―X線断面図である。
【図６】本発明の第３の実施例を表した平面図である。
【図７】図６におけるY―Y線断面図である。
【図８】本発明の第４の実施例を表した平面図である。
【図９】図４におけるZ―Z線断面図である。
【図１０】本発明の第５の実施例を表した平面図である。
【図１１】同上一部切欠正面図である。
【図１２】本発明の一使用例を表した説明用正面図である。
【発明を実施するための形態】
【００２１】
図１乃至図３は本発明の基本形とする第１の実施例を表したものである。  同図において、１はコイルスプリングであって、所要の可撓性(反り及びその復元)を具えている。  なお、図示の実施例にあっては各ピッチが閉じた状態、すなわち、引き伸ばし方向に伸長する形態のものを示してあるが、圧縮及び伸長自在とするピッチのものを用いることが好ましい。
【００２２】
２は１本のゴム軸であって、所要の可撓性及び伸縮性を具えたものである。  そして、当該ゴム軸２は上記したコイルスプリング１内に嵌入装填することに依って、当該コイルスプリング１と協調して可撓性及び伸縮性の発揮、すなわち、直線状態からの変形及び復元作用が奏されるように構成してある。
【００２３】
図４及び図５は本発明の第２の実施例を表したものであって、これは上記第１の実施例において用いた１本のゴム軸２に代えて、数本のゴム軸単体３を束ねた状態で、コイルスプリング１内に嵌入装填する様に構成したものである。
【００２４】
図６及び図７は本発明の第３の実施例を表したものであって、多数のゴムチップ４を袋詰めしたものを、コイルスプリング１内に嵌入装填する様に構成したものである。  なお、同図において、ゴムチップ４を収容する袋体５をコイルスプリング１内に位置する様に構成してあるが、これはコイルスプリング１とゴムチップ４とを一括して収容するような構成、すなわち、全体が袋体５で包まれるような形態で実施することもできる。
【００２５】
図８及び図９は本発明の第４の実施例を表したものであって、水、油、その他適宜の液体６を袋詰めしたものを、コイルスプリング１内に嵌入装填する様に構成したものである。  なお、同図において、液体６を収容する袋体７をコイルスプリング１内に位置する様に構成してあるが、これはコイルスプリング４と液体６とを一括して収容するような構成、すなわち、全体が袋体７で包まれるような形態で実施することもできる。
【００２６】
図１０及び図１１は本発明の第５の実施例を表したものであって、端部にフランジ部8aを有する２個のゴム軸８を、コイルスプリング１の上下の両端から嵌入収装する様に構成したものである。  なお、同実施例において重要な点は、コイルスプリング１内に嵌入収装する部材の上下両端にフランジ部を設けるように構成した点にある。  従って、既述した第２乃至第４の各実施例にあっても、このようなフランジ部を一体に形成するように構成して実施する場合もある。
【００２７】
図１２は本発明を石灯籠の免震用として使用した場合を表したものである。  同図において、Aは石灯籠であって、基礎a、竿尾b、中台c、火袋eの各石部材の頂部に、笠石fを首振り状に支持するための柱体Mとして本発明に係る小棒状部材を用いたものである。
【００２８】
これに依り、地震発生時、石灯籠の矢印方向の揺れに基づき、笠石fはその反力に基づき、同図に示す矢印で示すように地震の震動とは逆の方向に振れ動き、その力が地震による振動を抑止し、石灯籠全体の倒伏を防止するような免震作用を奏させるようにしたものである。
【００２９】
本発明に係る「フレキシブル特性を有する小棒状部材」は上記のような免震用部材としての利用以外、フレキシブル性を必要とするあらゆる構築物に対する小棒状部材として使用されるものであり、一つの構築用部材としての利用が図られる。
【符号の説明】
【００３０】
１    コイルスプリング
２    ゴム軸
３    ゴム軸単体
４    ゴムチップ
５    袋体
６    液体
７    袋体
８    ゴム軸
8a    フランジ部
【図１】
2013249866.tif 000003
【図２】
2013249866.tif 000004
【図３】
2013249866.tif 000005
【図５】
2013249866.tif 000006
【図６】
2013249866.tif 000007
【図８】
2013249866.tif 000008
【図９】
2013249866.tif 000009
【図１１】
2013249866.tif 000010
【図１２】
2013249866.tif 000011
【図４】
2013249866.tif 000012
【図７】
2013249866.tif 000013
【図１０】
2013249866.tif 000014